(57)【要約】【課題】  製造時の大幅な工数低減、製作コスト及び材料コストの削減、耐久性及び信頼性の向上を図るとともに、洗濯時にかさ張る不具合を解消する。【解決手段】  被洗濯物を収容できるようにネット材により袋状に形成した洗濯ネット１を構成するに際して、一対のシート状のネット材Ｎｘ，Ｎｙを重ね合わせ、かつ部分的に接合することにより、組をなす被洗濯物Ｗｐ，Ｗｑ…を一緒に収容可能なポケット２ａ，２ｂ，２ｃ…を複数形成してなるネット本体部２と、ポケット２ａ，２ｂ，２ｃ…を開閉する開閉部３と、少なくともネット本体部２をロール状に巻いた状態で固定する固定部４とを有する。【選択図】  図１
0003130729.tif 000002
【実用新案登録請求の範囲】
【請求項１】
被洗濯物を収容できるようにネット材により袋状に形成した洗濯ネットにおいて、一対のシート状のネット材を重ね合わせ、かつ部分的に接合することにより、組をなす被洗濯物を一緒に収容可能なポケットを複数形成してなるネット本体部と、前記ポケットを開閉する開閉部と、少なくとも前記ネット本体部をロール状に巻いた状態で固定する固定部とを有することを特徴とする洗濯ネット。
【請求項２】
長方形をなすネット本体部における一つの長辺に開閉部を設けるとともに、前記長辺に各ポケット口を臨ませてなる複数のポケットを前記ネット本体部の長手方向に配列させてなることを特徴とする請求項１記載の洗濯ネット。
【請求項３】
前記ネット本体部は、当該ネット本体部を吊下げるための一又は二以上のリング状の吊下部を有することを特徴とする請求項１記載の洗濯ネット。
【考案の詳細な説明】
【技術分野】
【０００１】
本考案は、ネット材により袋状に形成することにより靴下等の組をなす被洗濯物を洗濯する際に用いて好適な洗濯ネットに関する。
【背景技術】
【０００２】
一般に、組をなす被洗濯物である靴下の場合、複数組を一緒に洗濯した際には洗濯後に組毎に揃えるのが大変となる。特に、靴下は同種のものが多いことから揃えるのに時間がかかるとともに、誤って別の組同士を揃えてしまうこともある。
【０００３】
このため、従来、このような不具合を解消できるようにした洗濯ネットも知られており、実用新案登録第３０５２１５１号公報には、洗濯ネット袋の中に、靴下などが一組づつ楽に入る、洗濯ネット小袋をいくつか取り付け、或いは洗濯ネット袋の中に、何本かのひもなどを、その両端をスナップ止めなどで止めるようにして渡し、そのひもなどに洗濯ネット小袋に設けた輪や止め具などを通したり付けることにより、多くの洗濯ネット小袋を取り付けた、洗濯ネット小袋を内蔵したダブル構造の洗濯ネット袋が開示されている。
【特許文献１】実用新案登録第３０５２１５１号
【考案の開示】
【考案が解決しようとする課題】
【０００４】
しかし、上述した特許文献１で開示される従来の洗濯ネット（洗濯ネット袋）は、次のような問題点があった。
【０００５】
第一に、洗濯ネット袋全体の構成が複雑で煩雑となる。したがって、これに伴う欠点、即ち、製造時の工数増加、製作コスト及び材料コストの上昇を招くとともに、繰り返しの使用により壊れやすいなど、耐久性及び信頼性に難がある。
【０００６】
第二に、洗濯を行う際に使用する洗濯ネット袋に留まり、他の機能を備えていないため、多機能性（多様性）に劣る。したがって、使用する際の作業効率の低下を招くなど、利便性（使い勝手）に難がある。
【０００７】
本考案は、このような背景技術に存在する課題を解決した洗濯ネットの提供を目的とするものである。
【課題を解決するための手段】
【０００８】
本考案は、上述した課題を解決するため、被洗濯物を収容できるようにネット材により袋状に形成した洗濯ネット１を構成するに際して、一対のシート状のネット材Ｎｘ，Ｎｙを重ね合わせ、かつ部分的に接合することにより、組をなす被洗濯物Ｗｐ，Ｗｑ…を一緒に収容可能なポケット２ａ，２ｂ，２ｃ…を複数形成してなるネット本体部２と、ポケット２ａ，２ｂ，２ｃ…を開閉する開閉部３と、少なくともネット本体部２をロール状に巻いた状態で固定する固定部４とを有することを特徴とする。
【０００９】
この場合、考案の好適な態様により、洗濯ネット１は、長方形をなすネット本体部２における一つの長辺Ｌａに開閉部３を設けるとともに、長辺Ｌａに各ポケット口２ａｏ，２ｂｏ…を臨ませてなる複数のポケット２ａ，２ｂ…をネット本体部２の長手方向に配列させて構成できる。また、ネット本体部２には、当該ネット本体部２を吊下げるための一又は二以上のリング状の吊下部１１ｉ，１１ｊを設けることができる。
【考案の効果】
【００１０】
このような構成を有する本考案に係る洗濯ネット１によれば、次のような顕著な効果を奏する。
【００１１】
（１）  洗濯ネット１全体の構成が極めて単純となるため、製造時の大幅な工数低減を図ることができるとともに、製作コスト及び材料コストの削減を図ることができる。また、組付構造とならないため、繰り返し使用によっても壊れにくく、耐久性及び信頼性に優れる。したがって、被洗濯物Ｗｐ，Ｗｑとして靴下を適用すれば、複数組の靴下を洗濯後に組毎に揃える手間が省けるとともに、誤って別の組の靴下同士を揃えてしまう不具合を解消できる。
【００１２】
（２）  ネット本体部２をロール状に巻いた状態で固定する固定部４を有するため、多数の被洗濯物Ｗｐ，Ｗｑ…を収容できる広い面積を持たせたネット本体部２であっても、洗濯時にかさ張る不具合を解消することができる。
【００１３】
（３）  好適な態様により、洗濯ネット１を、長方形をなすネット本体部２における一つの長辺Ｌａに開閉部３を設けるとともに、長辺Ｌａに各ポケット口２ａｏ，２ｂｏ…を臨ませてなる複数のポケット２ａ，２ｂ…をネット本体部２の長手方向に配列させて構成すれば、各被洗濯物Ｗｐ，Ｗｑ…は、いわば面上に配列されるため、洗濯後、各被洗濯物Ｗｐ，Ｗｑ…を各ポケット２ａ，２ｂ…に収容したまま干すことができるとともに、干した後、そのまま保管できるなど、多機能性（多様性）に優れ、使用する際の作業効率向上及び利便性（使い勝手）向上を図ることができる。
【００１４】
（４）  好適な態様により、ネット本体部２に、当該ネット本体部２を吊下げるための一又は二以上のリング状の吊下部１１ｉ，１１ｊを設ければ、被洗濯物Ｗｐ，Ｗｑ…を各ポケット２ａ，２ｂ…に収容したまま干す際における更なる利便性向上に寄与できる。
【考案を実施するための最良の形態】
【００１５】
次に、本考案に係る最良の実施形態を挙げ、図面に基づき詳細に説明する。
【００１６】
まず、本実施形態に係る洗濯ネット１の構成について、図１〜図３を参照して具体的に説明する。
【００１７】
洗濯ネット１はネット本体部２を備える。ネット本体部２は、図１及び図２に示すように、一対のシート状のネット材Ｎｘ，Ｎｙを部分的に接合して形成した複数（例示は六つ）のポケット２ａ，２ｂ，２ｃ，２ｄ，２ｅ，２ｆを有する。ネット材Ｎｘ，Ｎｙは、ポリエステル樹脂或いはポリアミド系樹脂等の合成繊維を使用し、メッシュは十分な通水性を確保できる大きさを選定する。そして、ネット本体部２を製作するに際しては、長方形に形成した二枚のネット材Ｎｘ，Ｎｙ、又は一枚のネット材を折り畳むことにより長方形に形成した二枚のネット材Ｎｘ，Ｎｙを重ね合わせ、一つの長辺Ｌａを除いて、他の長辺Ｌｂ及び一対の短辺Ｌｃ，Ｌｄを接合（縫合）により止着する。また、ネット材Ｎｘ，Ｎｙの長手方向において、一定間隔置きに短手方向に沿った接合部（止着部）Ｋａ，Ｋｂ，Ｋｃ，Ｋｄ，Ｋｅを設け、これにより、各ポケット２ａ，２ｂ…を長手方向に順次配列させる。この場合、各ポケット２ａ，２ｂ…の大きさは、組をなす被洗濯物（靴下）Ｗｐ，Ｗｑを一緒に収容可能な大きさを選定する。これにより、各ポケット２ａ，２ｂ…２ｆのポケット口２ａｏ，２ｂｏ…２ｆｏは長辺Ｌａに臨む。
【００１８】
一方、ネット本体部２の長辺Ｌａには、ポケット２ａ…を開閉する開閉部３を設ける。例示の開閉部３はファスナー３ｆである。この場合、ファスナー３ｆは、長辺Ｌａに直接設けてもよいし、長辺Ｌａの近傍に当該長辺Ｌａに沿って設けても良い。図１は、長辺Ｌａの近傍に設けた場合を示す。長辺Ｌａの近傍に設ける場合には、ファスナー３ｆの一端辺３ｆｘを一方のネット材Ｎｘの端辺に接合（縫合）し、かつファスナー３ｆの他端辺３ｆｙを他方のネット材Ｎｙの端辺に接合（縫合）すればよい。したがって、ファスナー３ｆの他端辺３ｆｙが長辺Ｌａを構成する。このように構成すれば、ネット本体部２をロール状に巻いた際にファスナー３ｆを内側に隠すことができる。
【００１９】
他方、ネット本体部２における一方の端辺Ｌｃの中央位置には、固定部４となるリング状のゴムバンド４ｂを取付ける。ゴムバンド４ｂは、図３に示すように、ネット本体部２をロール状に巻いた際に、その外周に掛けることにより、ネット本体部２を巻いた状態に固定することができる。また、端辺Ｌｃにおける両側位置には、ネット本体部２を吊下げるための一対のリング状の吊下部１１ｉ，１１ｊを取付ける。この吊下部１１ｉ…は、紐材或いは布材等により形成することができる。このような吊下部１１ｉ…を設けることにより、被洗濯物Ｗｐ，Ｗｑ…を各ポケット２ａ，２ｂ…に収容したまま干す際における更なる利便性向上に寄与できる。なお、この吊下部１１ｉ…は、必須ではなく、例えば、上述したゴムバンド４ｂを吊下部として兼用させることもできる。
【００２０】
次に、本実施形態に係る洗濯ネット１の使用方法について、図１〜図５を参照しつつ図６に示すフローチャートに従って説明する。
【００２１】
まず、任意の靴下（被洗濯物）Ｗｐ，Ｗｑを使用した後、その靴下Ｗｐ，Ｗｑを洗濯にまわす場合を想定する（ステップＳ１，Ｓ２）。この場合、使用後の靴下Ｗｐ，Ｗｑは、ネット本体部２の空いたポケット２ａ…に収容する。即ち、図４に示すように、ファスナー３ｆを開けることによりポケット２ａ…のポケット口２ａｏ…を開放し、使用後の靴下Ｗｐ，Ｗｑを空いたポケット２ａ…に収容する（ステップＳ３）。なお、空いたポケット２ａ…にそれぞれ収容するに際は、端から順番に収容してもよいし、予め靴下の種類等に対応して決めた所定のポケット２ａ…に収容させてもよい。
【００２２】
他の靴下Ｗｐ，Ｗｑも同様に処理することができ、全てのポケット２ａ…に使用した靴下Ｗｐ，Ｗｑを収容したなら、ネット本体部２を、図３に示すように、ロール状に巻き、この状態でゴムバンド４ｂを外周に掛けることにより、ネット本体部２を巻いた状態を固定する（ステップＳ４，Ｓ５）。この場合、ファスナー３ｆは閉じた状態にし、かつファスナー３ｆが内側に隠れるように巻く。
【００２３】
そして、巻いた状態の洗濯ネット１は、そのまま電気洗濯機の洗濯槽に投入して洗濯を行うことができる（ステップＳ６）。洗濯ネット１は、このようにコンパクト化できるため、多数の靴下Ｗｐ，Ｗｑ…を収容できる広い面積を持たせたネット本体部２であっても、洗濯時にかさ張る不具合を解消できる利点がある。一方、洗濯が終了したなら、ゴムバンド４ｂをネット本体部２の外周から取り外し、ネット本体部２を広げるとともに、図５に示すように、吊下部１１ｉ，１１ｊを、ハンガー２１の両側に掛け、ハンガー２１をこのまま物干竿等に掛けて干すことができる（ステップＳ７，Ｓ８）。この後、靴下Ｗｐ，Ｗｑ…が乾いたなら、洗濯ネット１は、靴下Ｗｐ，Ｗｑ…を収容したまま靴下入れとして保管することができる（ステップＳ９，Ｓ１０）。したがって、靴下Ｗｐ，Ｗｑを使用する際は、洗濯ネット１のファスナー３ｆを開け、使用したい組の靴下Ｗｐ，Ｗｑ…をポケット２ａ…から一緒に取り出して使用することができる。
【００２４】
このように、本実施形態に係る洗濯ネット１は、全体の構成が極めて単純となるため、製造時の大幅な工数低減を図ることができるとともに、製作コスト及び材料コストの削減を図ることができる。また、組付構造とならないため、繰り返し使用によっても壊れにくく、耐久性及び信頼性に優れる。したがって、被洗濯物Ｗｐ，Ｗｑとして靴下を適用すれば、複数組の靴下を洗濯後に組毎に揃える手間が省けるとともに、誤って別の組の靴下同士を揃えてしまう不具合を解消できる。特に、洗濯ネット１は、長方形をなすネット本体部２における一つの長辺Ｌａに開閉部３を設けるとともに、長辺Ｌａに各ポケット口２ａｏ，２ｂｏ…を臨ませてなる複数のポケット２ａ，２ｂ…をネット本体部２の長手方向に配列させて構成したため、各被洗濯物Ｗｐ，Ｗｑ…は、いわば面上に配列され、洗濯後、各被洗濯物Ｗｐ，Ｗｑ…を各ポケット２ａ，２ｂ…に収容したまま干すことができるとともに、干した後、そのまま保管できるなど、多機能性（多様性）に優れ、使用する際の作業効率向上及び利便性（使い勝手）向上を図ることができる。
【００２５】
以上、最良の実施形態について詳細に説明したが、本考案は、このような実施形態に限定されるものではなく、細部の構成，形状，素材，数量等において、本考案の要旨を逸脱しない範囲で、任意に変更，追加，削除することができる。例えば、組をなす被洗濯物Ｗｐ，Ｗｑ…として靴下を例示したが、その他、手袋、サポータ、上下の下着など、組で用いられる各種被洗濯物に利用できる。また、洗濯ネット１の全体の形態も例示に限定されるものではなく、例えば、ネット本体部２の左右に開閉部３，３をそれぞれ設け、左右二列のポケット２ａ…を設けるなど、各種形態により実施可能である。さらに、開閉部３としてファスナー３ｆを例示し、固定部４としてゴムバンド４ｂを例示したが、面ファスナーやボタンなど同一機能を発揮する各種形態の開閉部又は固定部により実施できる。
【図面の簡単な説明】
【００２６】
【図１】本考案の最良の実施形態に係る洗濯ネットの正面図、
【図２】図１中Ａ−Ａ線断面構成図、
【図３】同洗濯ネットのネット本体部をロール状に巻いた状態を示す斜視図、
【図４】同洗濯ネットの使用方法を説明するための使用説明図、
【図５】同洗濯ネットの使用方法を説明するための他の使用説明図、
【図６】同洗濯ネットの使用方法を順を追って説明するためのフローチャート、
【符号の説明】
【００２７】
１：洗濯ネット，２：ネット本体部，２ａ…：ポケット，２ａｏ…：ポケット口，３：開閉部，４：固定部，１１ｉ…：吊下部，Ｎｘ：ネット材，Ｎｙ：ネット材，Ｗｐ：被洗濯物，Ｗｑ：被洗濯物，Ｌａ：長辺
【図１】
0003130729.tif 000003
【図２】
0003130729.tif 000004
【図３】
0003130729.tif 000005
【図４】
0003130729.tif 000006
【図５】
0003130729.tif 000007
【図６】
0003130729.tif 000008